(57)【要約】【課題】輸送や保管がしやすい上、使用後の廃棄量が少なく、さらに、衛生的に使用できる緊急時用の簡易トイレを提供すること。【解決手段】防水性シートと、防水性シートのほぼ中央部分に設けられる受け台と、この受け台の上に配置される吸水性部材とを備えており、受け台が、展開可能または折畳み可能に形成されている。また、吸水性部材は、受け台よりも大きく、かつ、細長い形状に形成され、吸水性部材の長さ方向両端部が、同一面側に立ち上がり可能に形成されていてもよい。さらに、防水性シートは、受け台に対して着脱可能であってもよい。【選択図】図１
2009011428.tif 000002
【特許請求の範囲】
【請求項１】
防水性シートと、防水性シートのほぼ中央部分に設けられる受け台と、この受け台の上に配置される吸水性部材とを備えており、
受け台が、展開可能または折畳み可能に形成されていることを特徴とする簡易トイレ。
【請求項２】
吸水性部材が、受け台よりも大きく、かつ、細長い形状に形成されており、吸水性部材の長さ方向両端部が、同一面側に立ち上がり可能に形成されていることを特徴とする請求項１記載の簡易トイレ。
【請求項３】
防水性シートが、受け台に対して着脱可能であることを特徴とする請求項１又は２記載の簡易トイレ。
【発明の詳細な説明】
【技術分野】
【０００１】
本発明は、災害発生後の緊急時に使用される簡易トイレに関するものである。
【背景技術】
【０００２】
例えば、地震や火災などの災害が発生し、断水やトイレ施設の損壊などによって、トイレを使用できなくなった場合、被災者はトイレで用を足せなくなり、困難を強いられることとなる。
そこで、緊急時に使用する簡易トイレとして、蓋部を備えた箱状の本体内に吸水性部材を配置し、使用後は、蓋部を密閉して、汚物を収容した本体ごと廃棄するものが提案されている（例えば、特許文献１参照）。
【０００３】
しかしながら、上記提案の簡易トイレは、本体が箱状であるため、嵩が高く、輸送時の効率が悪い上、保管場所の確保が困難である。
また、この簡易トイレは、使用後は、常に本体ごと廃棄されるため、廃棄量が膨大になり、廃棄処理に困る上、限りある資源の有効利用の観点からも好ましくない。
さらに、この簡易トイレは、本体内に用を足すものであるが、使用者が粗相をした場合、本体の周囲を汚物で汚してしまう恐れがある。したがって、例えば、災害時など、汚れた場所を十分に清掃できない状況下では、不衛生になりやすい。
【特許文献１】特開２００６−５１２９４号公報
【発明の開示】
【発明が解決しようとする課題】
【０００４】
本発明は、上記した従来の問題点に鑑みてなされたものであって、輸送や保管がしやすい上、使用後の廃棄量が少なく、さらに、衛生的に使用できる緊急時用の簡易トイレを提供することにある。
【課題を解決するための手段】
【０００５】
上記課題を解決するために、請求項１記載の発明は、防水性シートと、防水性シートのほぼ中央部分に設けられる受け台と、この受け台の上に配置される吸水性部材とを備えており、受け台が、展開可能又は折畳み可能に形成されていることを特徴とする。
【０００６】
請求項２記載の発明は、請求項１記載の発明において、吸水性部材が、受け台よりも大きく、かつ、細長い形状に形成されており、吸水性部材の長さ方向両端部が、同一面側に立ち上がり可能に形成されていることを特徴とする。
【０００７】
請求項３記載の発明は、請求項１又は２記載の発明において、防水性シートが、受け台に対して着脱可能であることを特徴とする。
【発明の効果】
【０００８】
請求項１記載の発明は、防水性シートと、防水性シートのほぼ中央部分に設けられる受け台と、この受け台の上に配置される吸水性部材とを備えており、受け台が、展開可能又は折畳み可能に形成されているので、使用時以外は、受け台を展開または折畳んで嵩を低くすることができる。したがって、輸送や保管がしやすく、取り扱い性に優れている。
また、受け台が、防水性シートのほぼ中央部分に設けられているので、仮に、使用者が粗相をしても、防水性シートで汚物を受け止めることができるため、床や地面を直接汚すことがなく衛生的である。
さらに、し尿は、受け台の上に配置された吸水性部材に受け止められ、または吸収されるので、使用後は、吸水性部材だけを廃棄すればよく、防水性シートと受け台とは再利用できる。したがって、使用後の廃棄量が少なく、廃棄処理の作業負担を軽減できる上、限りある資源を有効利用できる。
【０００９】
請求項２記載の発明は、請求項１記載の発明において、吸水性部材が、受け台よりも大きく、かつ、細長い形状に形成されており、吸水性部材の長さ方向両端部が、同一面側に立ち上がり可能に形成されているので、請求項1記載の発明の効果に加えて、より確実に、吸水性部材に、し尿を受け止めさせ、また、その水分を吸収させることができ、その結果、受け台や防水性シートを汚しにくいという利点がある。
【００１０】
請求項３記載の発明は、請求項１又は２記載の発明において、防水性シートが、受け台に対して着脱可能であるので、請求項1又は２記載の発明の効果に加えて、防水性シートまたは受け台のいずれか一方が汚れた場合に、汚れたものだけを廃棄することができ、廃棄量を一層低減化できる上、限りある資源を有効利用できるという利点がある。
【発明を実施するための最良の形態】
【００１１】
以下、本発明にかかる簡易トイレの一実施形態について、図面に基づいて、詳細に説明する。
本実施形態の簡易トイレ１は、図１に示すように、シート材２と、シート材２の略中央部分に設けられる受け台３と、この受け台３の上に配置される吸水性部材４とから構成されている。
シート材２は、合成樹脂製で、約６４ｃｍ角のほぼ正方形状に形成されており、防水性および柔軟性を有している。
【００１２】
受け台３は、ダンボール製で、長さ約２０ｃｍ、幅約９ｃｍ、高さ約５．５ｃｍの上部が開口した略直方体形状に形成されている。
受け台３は、図１に示すように、底面部３１と、底面部３１の四囲から立ち上がる側面部３２とから構成されており、側面部３２は、底面部３１の短辺から延びる第１側面構成部３４と、底面部３１の長辺から延びる第２側面構成部３５とから構成されている。
そして、受け台３の底面部３１におけるシート材２との対向面には、シート材２の面状接着部材２１に着脱可能に接着する粘着テープ３３が貼着されている。
また、受け台３は、図２に示すように、平面状に展開可能である。展開状態の受け台３において、第１側面構成部３４は、底面部３１に連接する第１外側面構成部３４０と、第１外側面構成部３４０に連接する第１内側面構成部３４１と、第１内側面構成部３４１に連接する側面支持部３４２と、第１外側面構成部３４０の両端から突出する突片３４３とから構成されている。
第２側面構成部３５は、底面部３１に連接する第２外側面構成部３５０と、第２外側面構成部３５０に連接する第２内側面構成部３５１とから構成されている。
そして、受け台３は、粘着テープ３３によって、シート材２の略中央部分に、シート材２と一体に設けられている。
【００１３】
吸水性部材４は、図１に示すように、長さ約３７ｃｍ、幅約１９ｃｍの略長方形状に形成されている。吸水性部材４は、外袋４１と、外袋４１内に収容された高分子吸収剤４２とから構成されている。外袋４１の裏面には、一旦吸収した水分が漏れないように、防水処理がなされている。また、外袋４１の長さ方向一端部には、使用後に、吸水性部材４を小さく折り畳んだ状態で廃棄できるように、折畳み形状を保持するための固定テープ４３が設けられている。また、吸水性部材４は、外袋４１の幅方向両側部に、伸縮性材料４４が伸長状態で縫い込まれており、自然に広げた状態において、伸縮性材料４４の復元力によって、吸水性部材４の長さ方向両端部が同一面側に立ち上がるように形成されている。
【００１４】
本実施形態の簡易トイレ１は、収納時には、図３に示すように、平面状に広げたシート材２の略中央部分に、略矩形状に折り畳まれた受け台３と、長さ方向に二つ折りにした吸水性部材４とを重ねて配置した後、シート材２の四隅を折り畳むことにより、図４に示すように、約２０ｃｍ角のほぼ正方形状で、受け台３と吸水性部材４とをシート材２で包んだ形態となっている。
ここで、図３に示す受け台３は、図２に示す展開状態から、第１内側面構成部３４１および側面支持部３４２を第１外側面構成部３４０側に折り畳むとともに、第２内側面構成部３５１を第２外側面構成部３５０側に折り畳んで形成されている。
【００１５】
次に、本実施形態の簡易トイレ１の使用手順について説明する。
簡易トイレ１を設置する手順としては、まず、用便可能な場所に、シート材２を広げる。
次に、受け台３を箱状に組み立てる。具体的には、底面部３１に対して、第１外側面構成部３４０および第２外側面構成部３５０を略直角に折り曲げる。そして、第１内側面構成部３４１および第２内側面構成部３５１を底面部３１側に折り込み、第１内側面構成部３４１を第１外側面構成部３４０に、第２内側面構成部３５１を第２外側面構成部３５０に、それぞれ重ね合わせる。このとき、突片３４３を第２外側面構成部３５０と第２内側面構成部３５１との隙間に差し込む。さらに、側面支持部３４２を略直角に折り曲げて、底面部３１に当接させ、図５に示すように、受け台３を上部が開口した略直方体形状に組み立てる。
次に、吸水性部材４を広げて、受け台３の上に配置する。このとき、受け台３の長さ方向と吸水性部材４の長さ方向とを合わせるとともに、吸水性部材４の長さ方向両端部が上向きに立ち上がるように、吸水性部材４を配置する。
図６は、簡易トイレ１を設置した状態を示している。使用者は、受け台３を跨いで、腰を下ろし、吸水性部材４にし尿の汚物が収容されるように用を足す。用を足した後は、汚物を吸水性部材４で包み、固定テープ４３で固定し、廃棄する。
【００１６】
以上詳述したように、本実施形態の簡易トイレ１は、軽量である上、収納時は、約２０ｃｍ角の略正方形状の嵩の低い形態となっている。また、受け台３と吸水性部材４とが、シート材２で包まれて１セットとなっている。したがって、輸送や保管がしやすく、取り扱い性に優れており、被災地に供給しやすいのは勿論のこと、緊急時に備えて、かばん等に入れて、日常的に携帯することもできる。
また、受け台３は、シート材２のほぼ中央部分に配置されているので、仮に、使用者が粗相をしても、シート材２で汚物を受け止めることができ、床や地面を直接汚すことがなく衛生的である。また、シート材２は、粘着テープ３３により、受け台３とは着脱可能に固定されているので、使用時に、シート材２に対して受け台３の位置がずれてしまう恐れがない。その上、シート材２または受け台３のいずれか一方が汚れた場合に、汚れたものだけを廃棄することができ、廃棄量を一層低減化できる上、限りある資源を有効利用できるという利点がある。
さらに、し尿は、受け台３の上に配置された吸水性部材４に受け止められ、し尿に含まれる水分は、高分子吸収剤４２によって吸収されるので、使用後は、吸水性部材４だけを廃棄すればよく、シート材２と受け台３とは再利用できる。したがって、使用後の廃棄量が少なく、廃棄処理の作業負担を軽減できる上、限りある資源を有効利用できる。
また、吸水性部材４は、受け台３よりも大きく、略長方形状に形成されており、自然に広げた状態において、長さ方向両端部が同一面側に立ち上がるように形成されているので、より確実に、し尿を吸水性部材４に受け止めさせることができ、受け台３やシート材２を汚しにくいという利点がある。
【００１７】
ところで、本実施形態の簡易トイレ１の使用方法は、上述したように、和式トイレのように、受け台３を跨いで、腰を下ろして使用する方法に限られず、例えば、図７に示すように、受け台３の両側に、使用者の太もも部分を受け止める支持台Ｘを設置して、洋式トイレのように、支持台Ｘに太もも部分を載せた状態で着座して、使用することもできる。前記支持台Ｘとしては、例えば、コンクリートブロックやレンガを積み上げて形成してもよいし、ダンボール製の空き箱等を利用してもよい。
このようにすれば、例えば、高齢者や妊婦など、腰を下ろしてしゃがむのが困難な人でも快適に使用できる。
【００１８】
なお、本発明の簡易トイレは、上記実施形態に限られるものではない。
すなわち、本発明にかかるシート材は、少なくとも防水性を有していればよい。したがって、シート材の材質は、合成樹脂製に限られず、例えば、表面に樹脂コーティングを施した紙製であってもよい。また、シート材の形状は、ほぼ正方形状に限られず、例えば、矩形状、正方形状、円形状、楕円形状であってもよい。
【００１９】
また、本発明にかかる受け台は、上記の形状や寸法に限られず、収納時に小型化できるように、展開可能又は折畳み可能な構造であればよい。
さらに、本発明にかかる受け台は、ダンボール製に限られず、例えば、他の紙製であってもよいし、合成樹脂製であってもよい。
【００２０】
また、本発明の吸水性部材は、上記の形状や寸法に限られず、し尿を受け止めることができる形状または構造であればよい。したがって、本発明の吸水性部材は、略長方形状に限られず、例えば、楕円形状でもよい。
また、吸水性部材の長さ方向両端部を同一面側に立ち上がらせる方法としては、伸縮性材料を伸長状態で縫い込む方法に限られず、例えば、形状保持性のあるワイヤーを吸水性部材に内装し、使用時にワイヤーを曲げることによって、所定の形状に形成してもよい。
また、本発明の吸水性部材は、必ずしも、長さ方向両端部を同一面側に立ち上がり可能に構成されていなくてもよい。
さらに、本発明の吸水性部材において、水分を吸収するものとしては、高分子吸収剤に限られず、例えば、紙、不織布、スポンジ、綿花などでも構わない。
【図面の簡単な説明】
【００２１】
【図１】本発明の１実施形態にかかる簡易トイレ１を分解して示す説明図である。
【図２】簡易トイレ１を構成する受け台の展開図である。
【図３】簡易トイレ１の収納手順を示す説明図である。
【図４】簡易トイレ１の収納時の形態を示す説明図である。
【図５】簡易トイレ１を構成する受け台の組み立て時の形態を示す斜視図である。
【図６】簡易トイレ１の一使用形態を示す概観斜視図である。
【図７】簡易トイレ１の他の使用形態を示す概観斜視図である。
【符号の説明】
【００２２】
１    簡易トイレ
２    シート材（防水性シート）
３    受け台
４    吸水性部材
【図１】
2009011428.tif 000003
【図２】
2009011428.tif 000004
【図３】
2009011428.tif 000005
【図４】
2009011428.tif 000006
【図５】
2009011428.tif 000007
【図６】
2009011428.tif 000008
【図７】
2009011428.tif 000009